(57)【特許請求の範囲】
【請求項１】
吸込温度を検知する吸込温度検出手段と、目標室温を設定する温度設定手段と、運転時間をタイマ設定値と比較しタイマ設定値に達した時に運転を停止する切タイマ手段と、人体の活動量を検知する活動量検知手段を設け、前記切タイマ手段を操作することによって、運転を自動的に停止する切タイマ機能を有する空気調和機であって、切タイマ機能を有効にしてから第一の所定時刻までの活動量を積算した第一の活動量積算値と、第二の所定時刻から前記切タイマ手段で設定した運転停止時刻までの活動量を積算した第二の活動量積算値とを比較し、前記第二の活動量積算値が、前記第一の活動量積算値以上の場合、切タイマ手段で設定した運転停止時刻を一定時間延長するとともに、前記第二の活動量積算値が所定値以上の場合には空気調和機の能力を大きくすることを特徴とする空気調和機。
【請求項２】
前記切タイマ手段で設定した運転停止時刻の延長に制限を設けたことを特徴とする請求項１に記載の空気調和機。
【発明の詳細な説明】
【技術分野】
【０００１】
本発明は、設定時刻に運転を停止する切タイマ機能を有する空気調和機に関する。
【背景技術】
【０００２】
従来、切タイマ機能によって運転停止時刻を設定した後に、運転停止時刻に達しても一定時間は強制的に空調運転を行う空気調和機が提案されている（例えば、特許文献１参照）。
【先行技術文献】
【特許文献】
【０００３】
【特許文献１】特開昭５５−１０２８５２号公報
【発明の概要】
【発明が解決しようとする課題】
【０００４】
しかしながら、前記従来の構成は、運転停止時刻に達した場合に運転をいきなり停止してしまうと、急に暑苦しくなったりすることを防ぐためのものであるが、省エネ性の観点からは改善の余地があった。
【０００５】
本発明は、前記従来の課題を解決するもので、省エネ性能を向上させた切タイマ機能を有する空気調和機を提供することを目的とする。
【課題を解決するための手段】
【０００６】
前記従来の課題を解決するために、本発明の空気調和機は、吸込温度を検知する吸込温度検出手段と、目標室温を設定する温度設定手段と、運転時間をタイマ設定値と比較しタイマ設定値に達した時に運転を停止する切タイマ手段と、人体の活動量を検知する活動量検知手段を設け、切タイマ手段を操作することによって、運転を自動的に停止する切タイマ機能を有する空気調和機であって、切タイマ機能を有効にしてから第一の所定時刻までの活動量を積算した第一の活動量積算値と、第二の所定時刻から切タイマ手段で設定した運転停止時刻までの活動量を積算した第二の活動量積算値とを比較し、第二の活動量積算値が、第一の活動量積算値以上の場合、切タイマ手段で設定した運転停止時刻を一定時間延長するとともに、前記第二の活動量積算値が所定値以上の場合には空気調和機の能力を大きくすることにより、活動量が切タイマ設定時よりも大きい時は、切タイマ動作時刻を延長させて快適性を維持させ、活動量が切タイマ設定時よりも小さい時は、安静状態にあると判断し、切タイマ設定時刻に運転を停止させて、無駄なエネルギー消費を防止することができる。また、利用者の不快感を低減できる。
【発明の効果】
【０００７】
本発明は、省エネ性能を向上させた切タイマ機能を有する空気調和機を提供することができる。
【図面の簡単な説明】
【０００８】
【図１】本発明の実施の形態１における空気調和機の制御ブロック図
【図２】同実施の形態１における空気調和機のフローチャート
【図３】本発明の実施の形態２における空気調和機のフローチャート
【図４】本発明の実施の形態３における空気調和機のフローチャート
【発明を実施するための形態】
【０００９】
第１の発明の空気調和機は、吸込温度を検知する吸込温度検出手段と、目標室温を設定する温度設定手段と、運転時間をタイマ設定値と比較しタイマ設定値に達した時に運転を停止する切タイマ手段と、人体の活動量を検知する活動量検知手段を設け、切タイマ手段を操作することによって、運転を自動的に停止する切タイマ機能を有する空気調和機であって、切タイマ機能を有効にしてから第一の所定時刻までの活動量を積算した第一の活動量積算値と、第二の所定時刻から切タイマ手段で設定した運転停止時刻までの活動量を積算した第二の活動量積算値とを比較し、第二の活動量積算値が、第一の活動量積算値以上の場合、切タイマ手段で設定した運転停止時刻を一定時間延長するとともに、前記第二の活動量積算値が所定値以上の場合には空気調和機の能力を大きくすることにより、活動量が切タイマ設定時よりも大きい時は、切タイマ動作時刻を延長させて快適性を維持させ、活動量が切タイマ設定時よりも小さい時は、安静状態にあると判断し、切タイマ設定時刻に運転を停止させて、無駄なエネルギー消費を防止することができる。また、利用者の不
快感を低減できる。
【００１０】
第２の発明の空気調和機は、特に第１の発明において、切タイマ手段で設定した運転停止時刻の延長に制限を設けたことにより、無駄に時間を延長することない構成とすることができる。
【００１１】
以下、本発明の実施の形態について、図面を参照しながら説明する。なお、この実施の形態によって本発明が限定されるものではない。
【００１２】
（実施の形態１）
図１は、本発明の実施の形態１における空気調和機の制御ブロック図を示すものである。図１において、切タイマ手段１はタイマ設定値と運転時間の比較を常に行いタイマ設定時間に達した場合制御手段５に空気調和機の停止信号を送信する。また、制御手段５は、活動量検知手段４で検知した活動量を一定時間ｔ毎に積算し、活動量の積算値として保持している。
【００１３】
なお、活動量検知手段４とは、赤外線センサで構成されており、周囲の温度変化を検知することで活動量を大・中・小の３段階に分けて検出している。活動量が大の場合が、活動量が小の場合に比べて、人体が活発に活動していることを意味する。また活動量は本実施の形態のように３段階に限るものではなく、例えば、４段階、５段階と分かれていても問題は無い。
【００１４】
また、空気調和機の室内機に吸込まれる室内の温度を検知する吸込温度検出手段２、温度設定手段の設定温度と吸込温度検出手段の吸込温度の差により空気調和機の能力を決定する温度設定手段３を有している。
【００１５】
以上のように構成された空気調和機の制御ブロックについて、以下その動作、作用を図２のフローチャートに従って説明する。
【００１６】
まず、通常の運転時、切タイマ設定時問わず、一定時間ｔ毎に活動量の積算を行っている。よって、切タイマ運転を設定した後において、ステップ１、ステップ２では一定時間ｔ毎に活動量の積算を行う。このとき、一定時間ｔは５分、１０分など適宜変更が可能である。
【００１７】
次に、ステップ３では切タイマ運転を設定してから、第一の所定時刻ＴＳ後までの活動量の積算値ＫＳを算出する。このとき、第一の所定時刻ＴＳとは、切タイマ運転を設定した時間からの相対的に設定される時刻であり、例えば、切タイマ運転を２３時に設定したときに、２３時から３０分経過後を第一の所定時刻ＴＳと設定される。
【００１８】
なお、３０分経過したときに第一の所定時刻ＴＳを迎えるとしたが、これに限定されることはなく、例えば、１時間や２０分経過後としても問題は無い。要するに、切タイマ運転を設定した際の活動量がどの程度であるかを検出できればよい。
【００１９】
次に、ステップ４では、第二の所定時刻ＴＥから切タイマが動作する時刻（すなわち、切タイマ運転による運転停止時刻）までの活動量ＫＥを算出する。このとき第二の所定時刻ＴＥとは、切タイマ運転で設定された停止時刻からの相対的に設定される時刻であり、例えば、切タイマ運転によって２５時に運転が停止されると設定されている場合には、２５時から３０分遡った時刻を第二の所定時刻ＴＥと設定される。
【００２０】
なお、３０分遡った時刻を第二の所定時刻ＴＥとしたが、これに限定されることはなく
、例えば、切タイマによる運転停止時刻から１時間や２０分遡ったところを第二の所定時刻ＴＥとしても問題は無い。要するに、切タイマによって運転が停止する際の活動量がどの程度であるかを検出できればよい。
【００２１】
次に、ステップ５では切タイマ動作時刻かどうかの判定を行う。切タイマ動作時刻であれば、ステップ６、ステップ７にて活動量積算値ＫＳとＫＥの比較を行い活動量積算値ＫＳ≦活動量積算値ＫＥであれば、切タイマ動作時刻に近づくに従い人体の活動量が低下してきた（快適と判断）と判断し切タイマ動作時刻にステップ９にてエアコンを停止させる。
【００２２】
一方、活動量積算値ＫＳ＞活動量積算値ＫＥであれば切タイマ動作時刻に近づくに従い人体の活動量が増加してきた（不快と判断）と判断し、ステップ８で切タイマ動作時刻を一定時間Ｔａ延長させる。
【００２３】
これによって、切タイマ設定時点の活動量より切タイマ動作時点の活動量が大きい場合は切タイマ時刻の延長を行うため利用者が不快感なく就寝できる。活動量が小さい場合は設定時刻にて空気調和機を停止させるため余分な運転が無く無駄なエネルギーの消費を防止することができる。
【００２４】
（実施の形態２）
図３は本発明の実施の形態２における空気調和機の制御ブロックの動作フローチャートである。ステップ５以外の動作については実施の形態１と同様のため説明は省略する。
【００２５】
ステップ５において、延長時間の積算値が延長時間の制限値Ｔｍａｘを越えるかどうかの判断を行う。延長時間の積算値が延長時間の制限値Ｔｍａｘを超えるまでは切タイマ動作時刻の延長を行い、制限値Ｔｍａｘを越えた場合はエアコンを停止させる。
【００２６】
これにより、空調負荷の状態によっては切タイマ時刻の延長を更に行うことができるので、夏場の寝苦しい空調環境において利用者が不快感なく就寝できる。
【００２７】
（実施の形態３）
図４は本発明の実施の形態３における空気調和機の制御ブロックの動作フローチャートである。ステップ１０、１１以外は実施の形態１と同様のため説明は省略する。
【００２８】
ステップ１０において活動量積算値ＫＥと所定の活動量Ｋ０の比較を行う。活動量積算値ＫＥが所定の活動量Ｋ０以上の場合、ステップ１１において空気調和機の能力を大とする。
【００２９】
これにより、空調負荷の状態によっては空気調和機の能力を大とするため、夏場の寝苦しい空調環境において利用者が不快感なく就寝できる。
【産業上の利用可能性】
【００３０】
以上のように、本発明にかかる空気調和機は、切タイマ設定操作付近の活動量と切タイマ動作時刻付近の活動量を比較し、切タイマ動作時刻付近の活動量が切タイマ設定操作付近の活動量よりも大きい場合に切タイマ動作時刻の延長を行うため利用者が不快感なく就寝できる。また、活動量が小さい場合は設定時刻にて空気調和機を停止させるため余分な運転が無く無駄なエネルギーの消費を防止することができるので、切りタイマ機能を有する空気調和機の快適制御の用途に有用である。
【符号の説明】
【００３１】
１  切タイマ手段
２  吸込温度検出手段
３  温度設定手段
４  活動量検知手段
５  制御手段
【図１】
0005849239.tif 000002
【図２】
0005849239.tif 000003
【図３】
0005849239.tif 000004
【図４】
0005849239.tif 000005